(57)【要約】【課題】  ブラジャーの肩紐がズレて外れることを防止し、また、ブラジャーの肩紐が肩に食い込むことにより肩凝りが生ずるため、肩凝りの一番生ずる部位である、ブラジャーの肩紐〔ストラップともいう〕に、ズレ難い部材を用いて構成し、肩から肩紐がズレることを防止し、かつ、ゲルマニウム、マグネットを装着することにより、装着する者の肩凝りを解消しようとするブラジャー用肩紐を開発・提供することにある。【解決手段】  身体の下着の一種であるブラジャーの肩紐（１）において、肩紐（１）の全部、あるいは一部に、マグネット（３）またはゲルマニウム（４）の粒子あるいはプレートを適数個設けるか、あるいは、肩紐（１）を高純度のゲルマニウム粉末が化体したゲルマニウム練込繊維（Ｙ）で形成したことを特徴とするを粘着性素材で形成し、肩紐の内部ブラジャー用ストラップから構成される。【選択図】  図１
0003128543.tif 000002
【実用新案登録請求の範囲】
【請求項１】
ブラジャーの肩紐において、肩紐（１）の全体、あるいは、肩紐（１）の一部分に、マグネット（３）、または、ゲルマニウム（４）を、複数個設けたことを特徴とするブラジャー用肩紐。
【請求項２】
ブラジャーの肩紐において、肩紐（１）の素材を、ゲルマニウム練込繊維（Ｙ）を用いたことを特徴とするブラジャー用肩紐。
【請求項３】
ブラジャーの肩紐において、肩紐（１）の肩（Ｘ）に当たる部分に装着する、短い肩紐（１′）を設け、該肩紐（１′）に、マグネット（３）、または、ゲルマニウム（４）を設け、かつ、前記短い肩紐（１′）を既存の肩紐（１）に取り付けるための、金属製またはプラスチック製の止め具（５）を設けたことを特徴とするブラジャー用肩紐。
【請求項４】
ブラジャーの肩紐において、肩紐（１）の肩（Ｘ）に当たる部分（２）に、短い肩紐（１″）を設け、該肩紐（１″）に、ずれ防止のためのシリコン・ゴム（６）を設けたことを特徴とするブラジャー用肩紐。
【考案の詳細な説明】
【技術分野】
【０００１】
この考案は、ブラジャー用肩紐に関するものである。
【背景技術】
【０００２】
従来、ブラジャーは、胸部に位置するバストを、それぞれブラジャーのカップ部分に収納して装着する下着であり、その目的は、ブラジャーを装着することにより、乳の形状、即ち、バストラインを美しく補整したり、運動時や歩行時に、揺れるバストを身体に固定するものである。
【０００３】
しかし、このブラジャーを装着した場合には、体型を見た目に美しくすることが出来、揺れるバストを身体に固定できることによって、その目的は十分に達成できるが、その反面、本人のバストの重みでブラジャーの肩紐が肩に食い込んだり、バスト自体の重みによって肩が凝るという欠点があった。
【０００４】
さらに、ブラジャーの肩紐は、装着した者の動きにより、ズレて肩から外れ易いという欠点があり、見た目にも体裁のよいものではなく、そのため、ズレ難くするため、肩紐を締めつけると、益々、肩凝りの要因になるという欠点があった。
【０００５】
そして、肩凝りには、粒状や粉末状のゲルマニウムがよく効く事は、よく知られている。例えば、特許文献１および特許文献２のように。
しかし、これらは、首回りに、粉末状のゲルマニウムが化体した繊維製シートを設けたものであったり、〔例えば、特許文献１のように〕、また、ブラジャーのカップ部に装着する、ブラジャーカップに設けたものに過ぎなかった。〔例えば、特許文献２のように〕    
【特許文献１】特開２００５−１７９８１４号公報
【特許文献２】特開２００６−１３２０６０号公報
【考案の開示】
【考案が解決しようとする課題】
【０００６】
そこで、この考案は、ブラジャーの肩紐が肩に食い込むことにより肩凝りが生ずるため、肩凝りが一番生ずる部位である、ブラジャーの肩紐〔ストラップともいう〕に、ゲルマニウム、マグネットを装着することにより、また、ブラジャーの肩紐がズレて外れることを防止するため、ズレ難い部材を用いて構成し、装着する者の肩凝りを解消し、かつ、肩から肩紐がズレることを防止するブラジャー用肩紐を開発・提供することにある。
【課題を解決するための手段】
【０００７】
この考案によるブラジャーの肩紐は、肩紐の全部、あるいは、肩紐の一部、例えば、肩に当接する部分に、肩凝りによく効く、ゲルマニウム、マグネットを装着することにより、肩凝りから開放しようとするものであり、また、肩紐の一部を滑り難い、粘着性の素材で形成することにより、肩からズレ難いブラジャー用肩紐から構成したものである。
【考案の効果】
【０００８】
この考案によると、ブラジャー用肩紐の全部、あるいは一部にマグネットやゲルマニウムの粒やプレート、あるいは粉末状のゲルマニウムを練り込んだ繊維で肩紐を設けることにより、直接、あるいは肩紐を介して、肩凝りの患部に、マグネットやゲルマニウムが当接し、これらマグネットやゲルマニウムの効果により、鬱血した血の流れをよくしたり、粉末が化体した繊維シートで肩紐を設けることにより、肩凝りの解消が期待でき、あるいは、肩紐の一部を、シリコン・ゴム素材で形成することにより、シリコン・ゴム素材の粘着力によって、肩紐が肩から外れてしまう事を防止できる等の有効なる効果を奏するものである。
【考案を実施するための最良の形態】
【０００９】
以下、図面と共に、この考案によるブラジャー用肩紐の好適な実施の形態について詳細に説明する。図１は、この考案の一実施例を示す肩紐にマグネット、または、ゲルマニウムを設けた斜視図であり、図２は、この考案の他の実施例を示す肩紐の一部にマグネット、または、ゲルマニウムを設けた斜視図であり、図３は、この考案の他の実施例を示す素材にゲルマニウム練込繊維で構成した布で形成した肩紐の斜視図であり、図４は、この考案の他の実施例を示す短い肩紐であり、（ａ）は、短い肩紐の平面図であり、（ｂ）は短い肩紐の側面図であり、図５は、この考案のさらに他の実施例を示す、シリコン・ゴムを一部に用いた肩紐の斜視図であり、図６は、この考案の肩紐をブラジャーに装着した状態を示す正面図である。
【実施例】
【００１０】
そこで、本件考案の請求項１記載の一実施例を、図１、図２に基づいて説明すると、ブラジャーの肩紐において、肩紐（１）の全体、あるいは、肩紐（１）の一部分に、マグネット（３）、または、ゲルマニウム（４）を、複数個設けたことを特徴とするブラジャー用肩紐から構成されるものである。
【００１１】
尚、肩紐（１）の一部分とは、肩（Ｘ）部分に当接する部分の事をいい、また、マグネット（３）、または、ゲルマニウム（４）の形状は、粒状でもよく、あるいは、小さな矩形のプレート状であってもよく、その形状は、特に、限定しない。
【００１２】
次に、本件考案の請求項２記載の一実施例を、図３に基づいて説明すると、ブラジャーの肩紐において、肩紐（１）の素材を、ゲルマニウム練込繊維（Ｙ）を用いたことを特徴とするブラジャー用肩紐より構成される。
【００１３】
このゲルマニウム練込繊維（Ｙ）とは、半合成繊維糸または合成繊維糸に、粒径が０．０２〜０．２μｍのゲルマニウム粉末を混練した紡糸であり、この紡糸を紡いだ織物から肩紐を製造したものである。
【００１４】
さらに、本件考案の請求項３記載の一実施例を、図４（ａ）に基づいて説明すると、ブラジャーの肩紐において、肩紐（１）の肩（Ｘ）に当たる部分に装着する、短い肩紐（１′）を設け、該肩紐（１′）に、マグネット（３）、または、ゲルマニウム（４）を設け、かつ、前記短い肩紐（１′）を既存の肩紐（１）に装着するための、金具またはプラスチック製の止め具（５）を設けたことを特徴とするブラジャー用肩紐より構成される。
【００１５】
そして、この短い肩紐（１′）とは、その一例を述べると、長細い短冊形状であり、内部に、マグネット（３）、または、ゲルマニウム（４）の粒、あるいは、プレートを貼り付けたり、または、縫い込んで形成したものである。
【００１６】
そして、前記短い肩紐（１′）は、止め具（５）により、従前の肩紐に装着して使用するものであり、その止め具（５）の一例としては、図４（ｂ）に示すように、短い肩紐（１′）の両端に、一部を短い肩紐（１′）側に固定しておき、他部で従前の肩紐にクリップして一時固定するものであり、強度的に弱い場合には、肩紐（１′）の中央部で別の止め具（６）で挟むよう構成したものである。
【００１７】
また、本件考案の請求項４記載の一実施例を、図５に基づいて説明すると、ブラジャーの肩紐において、肩紐（１）の肩（Ｘ）に当たる部分（２）に、短い肩紐（１″）を設け、該肩紐（１″）に、ズレ防止のためのシリコン・ゴム（６）を設けたことを特徴とするブラジャー用肩紐から構成される。
【００１８】
尚、シリコン・ゴム（６）を有する部分は、既存の肩紐（１）と別個に設けて接続具（図示せず）で接続したものでもよく、既存の肩紐（１）と縫着したものでもよい。また、シリコン・ゴム（６）は、肩（Ｘ）と接触する面に設けるが、シリコン・ゴムだけでは強度不足の場合には、当然、他の素材で補強するものである。
【産業上の利用可能性】
【００１９】
この考案の、ブラジャー用肩紐における製造技術および製造方法を確立し、かつ実施することにより、寄与する点で、産業上の利用可能性を有する。
【図面の簡単な説明】
【００２０】
【図１】この考案の一実施例を示す斜視図である。
【図２】この考案の他の実施例を示す斜視図である。
【図３】この考案のさらに他の実施例を示す斜視図である。
【図４】この考案のさらに他の実施例を示し、（ａ）は平面図であり、（ｂ）は側面図である。
【図５】この考案のさらに他の実施例を示す斜視図である。
【図６】この考案のブラジャーの正面図である。
【符号の説明】
【００２１】
１  肩紐
１′短い肩紐
１″短い肩紐
２  ブラジャー本体
３  マグネット
４  ゲルマニウム
５  止め具
６  シリコン・ゴム
Ｘ  肩
Ｙ  ゲルマニウム練込繊維
【図１】
0003128543.tif 000003
【図２】
0003128543.tif 000004
【図３】
0003128543.tif 000005
【図４】
0003128543.tif 000006
【図５】
0003128543.tif 000007
【図６】
0003128543.tif 000008
【手続補正書】
【提出日】平成18年11月7日(2006.11.7)
【手続補正１】
【補正対象書類名】実用新案登録請求の範囲
【補正対象項目名】全文
【補正方法】変更
【補正の内容】
【実用新案登録請求の範囲】
【請求項１】
ブラジャーの肩紐において、肩紐（１）の全体、あるいは、肩紐（１）の一部分に、マグネット（３）、または、ゲルマニウム（４）を、複数個設けたことを特徴とするブラジャー用肩紐。
【請求項２】
ブラジャーの肩紐において、肩紐（１）が、ゲルマニウム練込繊維（Ｙ）を素材とした肩紐であることを特徴とする請求項１記載のブラジャー用肩紐。
【請求項３】
ブラジャーの肩紐において、肩紐（１）の肩（Ｘ）に当たる部分に装着する、短い肩紐（１′）を設け、該肩紐（１′）に、マグネット（３）、または、ゲルマニウム（４）を設け、かつ、前記短い肩紐（１′）を既存の肩紐（１）に取り付けるための、金属製またはプラスチック製の止め具（５）を設けたことを特徴とするブラジャー用肩紐。
【請求項４】
ブラジャーの肩紐において、肩紐（１）の肩（Ｘ）に当たる部分（２）に、短い肩紐（１″）を設け、該肩紐（１″）に、ずれ防止のためのシリコン・ゴム（６）を設けたことを特徴とする請求項３記載のブラジャー用肩紐。